【手続補正書】
【提出日】平成22年3月23日(2010.3.23)
【手続補正１】
【補正対象書類名】特許請求の範囲
【補正対象項目名】全文
【補正方法】変更
【補正の内容】
【特許請求の範囲】
【請求項１】
複数の端末と、前記複数の端末から送信されたデータを処理する処理装置とを具備して成る組織コミュニケーション可視化システムであって、
前記各端末は、他の端末との対面状態を検出するセンサと、前記センサが検出したデータを送信するデータ送信部とを備え、
前記処理装置は、第１の前記端末から送信されたデータに基づいて、前記第１の端末を装着した第１の人物あるいは物と前記第１の人物あるいは物が属する組織の他者あるいは物との関係の強さを示す特徴量と、前記第１の人物あるいは物と前記組織の他者あるいは物との関係の多様性を示す特徴量との、二種類の特徴量を併せて表示することを特徴とする組織コミュニケーション可視化システム。
【請求項２】
請求項１において、
前記関係の強さは、他者あるいは物と対面した時間の合計を用いることを特徴とする組織コミュニケーション可視化システム。
【請求項３】
請求項１において、
前記関係の多様性は、対面した他者あるいは物の数および物の種類の数の少なくともいずれか一方を用いることを特徴とする組織コミュニケーション可視化システム。
【請求項４】
請求項１において、
前記関係の強さを示す特徴量と前記関係の多様性を示す特徴量とを二軸とする座標平面上に前記人物あるいは物に対応する記号をプロットして表示すること特徴とする組織コミュニケーション可視化システム。
【請求項５】
請求項４において、
特定の前記人物あるいは物に対応する記号を複数の時点において前記座標平面上に表示し、前記特定の人物あるいは物に関する前記関係の強さを示す特徴量及び前記関係の多様性を示す特徴量の時系列変化を表示する組織コミュニケーション可視化システム。
【請求項６】
請求項１において、
当該組織の他者と持つ関係の強さと関係の多様性とを併せて表示することにより、当該
組織のコミュニケーションスタイルを可視化することを特徴とする組織コミュニケーショ
ン可視化システム。
【請求項７】
複数の端末と、前記複数の端末から送信されたデータを処理する処理装置とを具備して
成る組織コミュニケーション可視化システムであって、
前記各端末は、他の端末との対面状態を検出するセンサと、前記センサが検出したデー
タを送信するデータ送信部とを備え、
前記処理装置は、第１の前記端末から送信されたデータに基づいて、前記第１の端末を
装着した第１の人物の、当該組織の他者と持つ関係の強さを示す特徴量と前記関係の多様
性を示す特徴量とを視覚的に関係付けて表示する関係付け表示を行うことにより、当該組
織のコミュニケーションスタイルを可視化することを特徴とする組織コミュニケーション可視化システム。
【請求項８】
請求項７において、
前記関係付け表示は、前記強さを示す特徴量を一方の軸に割り当て、前記多様性を示す
特徴量を他方の軸に割り当てた二軸構成の座標平面上に前記人物に対応する記号をプロッ
トして行う表示であることを特徴とする組織コミュニケーション可視化システム。
【請求項９】
請求項８において、
前記座標平面を４つの領域に分割し、前記４つの領域のうち、
前記強さを示す特徴量が大であり、かつ、前記多様性を示す特徴量が大である第１の領
域をマネージャー型の領域とし、
前記強さを示す特徴量が小であり、かつ、前記多様性を示す特徴量が大である第２の領
域を社交型の領域とし、
前記強さを示す特徴量が大であり、かつ、前記多様性を示す特徴量が小である第３の領
域を特定型の領域とし、
前記強さを示す特徴量が小であり、かつ、前記多様性を示す特徴量が小である第４の領
域を個人作業型の領域とし、
前記４つの領域の各領域に属する人物を互いに区別して認識できるように表示して当該
組織のコミュニケーションの型を可視化することを特徴とする組織コミュニケーション可視化システム。
【請求項１０】
請求項７において、
前記関係付け表示は、前記強さを示す特徴量を一方の軸に割り当て、前記多様性を示す
特徴量を他方の軸に割り当てた二軸構成の座標平面を４つの領域に分割し、前記４つの領
域のうち、
前記強さを示す特徴量が大であり、かつ、前記多様性を示す特徴量が大である第１の領
域をマネージャー型の領域とし、
前記強さを示す特徴量が小であり、かつ、前記多様性を示す特徴量が大である第２の領
域を社交型の領域とし、
前記強さを示す特徴量が大であり、かつ、前記多様性を示す特徴量が小である第３の領
域を特定型の領域とし、
前記強さを示す特徴量が小であり、かつ、前記多様性を示す特徴量が小である第４の領
域を個人作業型の領域とし、
前記４つの領域の各領域に属する人物の数に対応する色調を前記各領域に配置して行う
表示であることを特徴とする組織コミュニケーション可視化システム。
【請求項１１】
請求項１０において、
前記関係付け表示を複数の時点で同様に実行し、前記複数の時点を含む時系列に沿って
前記複数の時点における前記座標平面を１次元的に配列して表示することを特徴とする組
織コミュニケーション可視化システム。
【請求項１２】
請求項１０において、
前記関係付け表示を複数の組織について同様に実行し、前記複数の組織に対応する複数
の前記座標平面を１次元的に配列して表示することを特徴とする組織コミュニケーション
可視化システム。
【請求項１３】
請求項１２において、
前記関係付け表示を更に複数の時点で同様に実行し、前記複数の時点を含む時系列に沿
って前記複数の時点の各時点における前記複数の組織に対応する複数の前記座標平面の１
次元的配列を更に１次元的に配列して全体を２次元的に表示することを特徴とする組織コ
ミュニケーション可視化システム。
【請求項１４】
請求項８において、
プロットされた前記記号に加え、該記号に対応する人物のコミュニケーションに係る志
向性を示す矢印を該記号に対応させて表示することを特徴とする組織コミュニケーション
可視化システム。
【請求項１５】
請求項７において、
前記関係付け表示は、前記強さを示す特徴量を一方の軸に割り当て、前記多様性を示す
特徴量を他方の軸に割り当てた二軸構成の座標平面上に前記人物に対応する記号をプロッ
トした場合に得られる２次元の分布を、前記座標平面上に所定の基準で設定された主成分
軸上の１次元の分布に変換して行う表示であることを特徴とする組織コミュニケーション
可視化システム。
【請求項１６】
請求項１５において、
所定の時点で実行した前記関係付け表示を更に他の時点で同様に実行し、各時点におけ
る前記１次元の分布を前記各時点が含まれる時系列に沿って１次元的に配置し、前記主成
分軸を一方の軸に割り当て、前記時系列を他方の軸に割り当てた二軸構成の座標平面上の
分布として表示して前記各時点間の前記１次元の分布の推移を表示することを特徴とする
組織コミュニケーション可視化システム。
【請求項１７】
請求項７において、
前記関係付け表示は、前記強さを示す特徴量を色相および明るさのいずれか一方に割り
当てると共に前記多様性を示す特徴量を前記色相および明るさのうちの他方に割り当てた
単一の色調を生成して行う表示であることを特徴とする組織コミュニケーション可視化シ
ステム。
【請求項１８】
請求項１７において、
前記第１の人物について実行した前記関係付け表示を更に前記組織内の他の人物につい
て同様に実行し、所定の単位時間内での各人物の前記コミュニケーションスタイルを各1
つの分割領域に対応させて示し、前記分割領域を１次元的に配置して、前記各人物間の前
記コミュニケーションスタイルの相違を色調の変化として表示することを特徴とする組織
コミュニケーション可視化システム。
【請求項１９】
請求項１７において、
前記第１の人物について所定の時点で実行した前記関係付け表示を更に他の時点で前記
第１の人物について同様に実行し、所定の単位時間内での前記コミュニケーションスタイ
ルを各時点につき各1つの分割領域に対応させて示し、前記分割領域を１次元的に配置し
て、前記各時点間の前記コミュニケーションスタイルの推移を色調の変化として表示する
ことを特徴とする組織コミュニケーション可視化システム。
【請求項２０】
請求項１９において、
前記第１の人物について前記各時点で実行した前記関係付け表示を更に前記組織内の他
の人物について同様に前記各時点で実行し、前記各時点を含んで成る時系列上での各人物
の前記コミュニケーションスタイルの推移を一方の軸に割り当て、前記コミュニケーショ
ンスタイルの各人物間の相違を他方の軸に割り当てた二軸構成の座標平面を生成して前記
組織のコミュニケーションスタイルの時系列的な変化と人物間の相違とを前記座標平面上
に一括表示することを特徴とする組織コミュニケーション可視化システム。
【請求項２１】
他の端末との対面状態を検出するセンサと、前記センサが検出したデータを送信するデ
ータ送信部とを備えた複数の端末と、
前記複数の端末から送信されたデータを処理するアプリケーションサーバと、
データ処理要求を前記アプリケーションサーバに送信し、前記アプリケーションサーバ
が処理した結果を前記アプリケーションサーバから受信し、受信した前記結果を画面に表
示するクライアントとを具備して成る組織コミュニケーション可視化システムであって、
前記アプリケーションサーバは、
表示すべきメンバから任意の２人１組を選択し、前記二人のデータの時刻を揃えて結合
テーブルを作成し、前記結合テーブルに基づき全ての時刻の対面があった回数を合計して
求めた合計対面回数に比例する値を対面マトリクスの前記２人に対応する２箇所の要素に
入れる処理を前記メンバから選択可能な全ての２人の組について同様に実行する対面マト
リクス計算機能と、
前記メンバから任意の１人を選択し、前記対面マトリクスの前記１人に対応する１行の
値を合計して該１人の対面時間を算出し、前記対面マトリクスの前記１人に対応する１行
の正の値の要素の数をカウントして該１人の対面人数を算出する処理を前記メンバから選
択可能な全ての１人について同様に実行する対面人数・時間計算機能と、
前記対面時間および前記対面人数の最大値に基づき座標平面を設定し、前記メンバから
任意の１人を選択し、前記座標平面における前記１人の座標を計算し、前記１人の属性に
対応する記号を選択して前記座標にプロットする処理を前記メンバから選択可能な全ての
１人について同様に実行するデータプロット機能と
を有し、
前記クライアントは、前記アプリケーションサーバが前記対面マトリクス計算機能と前
記対面人数・時間計算機能と前記データプロット機能とを用いて生成した、前記対面時間
を一方の軸とし、前記対面人数を他方の軸とする二軸構成の座標平面上の前記記号の分布
を前記メンバのコミュニケーションスタイルの分布として表示する
ことを特徴とする組織コミュニケーション可視化システム。